【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
メディアコンテンツの送信先として、ユーザのメディアネットワーク内の複数の装置の中の装置をユーザが割り当てることを可能にするための方法であって、該方法は、
メディアコンテンツの送信先として、該ユーザのメディアネットワーク内の該複数の装置のうちの１つを割り当てるための規則を定義するユーザ入力を受信することであって、該入力は、装置の識別と、該識別された装置が該メディアコンテンツの送信先装置として割り当てられる該メディアコンテンツによって満たされなければならない少なくとも１つの条件とを含み、該少なくとも１つの条件は、該メディアコンテンツと関連しなければならない少なくとも１つの属性を備える、ことと、
該規則が適用されるべきメディアコンテンツを識別するユーザ入力を受信することと、
該規則の該少なくとも１つの条件を、該識別されたメディアコンテンツの属性と比較することによって、該規則が該識別されたメディアコンテンツによって満たされるか否かを決定することと、
該規則が満たされることを決定することに応じて、該識別されたメディアコンテンツの該送信先として、該規則の該識別された装置を自動的に割り当てることと
を含む、方法。
【請求項２】
前記規則が適用されるべきメディアコンテンツを識別するユーザ入力を受信することは、録画のためのメディアコンテンツを識別するユーザ入力を受信することを含む、請求項１に記載の方法。
【請求項３】
メディアコンテンツの送信先として、ユーザのメディアネットワーク内の複数の装置のうちの１つを割り当てるための規則を定義するユーザ入力を受信することは、ユーザのメディアネットワーク内の複数の録画装置のうちの１つに録画要求を割り当てるための規則を定義するユーザ入力を受信することを含む、請求項２に記載の方法。
【請求項４】
前記識別されたメディアコンテンツの前記送信先として、前記規則の前記識別された装置を自動的に割り当てることは、該識別されたメディアコンテンツを録画するために、該規則の該識別された装置を自動的に割り当てることを含む、請求項２に記載の方法。
【請求項５】
前記規則が適用されるべきメディアコンテンツを識別するユーザ入力を受信することは、ダウンロードのためにメディアコンテンツを識別するユーザ入力を受信することを含む、請求項１に記載の方法。
【請求項６】
前記少なくとも１つの条件は、ユーザ選好プロファイルの要素を備える、請求項１に記載の方法。
【請求項７】
前記少なくとも１つの条件は、メディアコンテンツのペアレンタル評価を備える、請求項１に記載の方法。
【請求項８】
前記少なくとも１つの条件は、前記メディアコンテンツの定義を備える、請求項１に記載の方法。
【請求項９】
メディアコンテンツの送信先として、ユーザのメディアネットワーク内の複数の装置の中の装置をユーザが割り当てることを可能にするためのシステムであって、該システムは、複数の装置と、ユーザ入力インターフェイスと、制御回路とを備え、該制御回路は、
メディアコンテンツの送信先として、該ユーザのメディアネットワーク内の該複数の装置のうちの１つを割り当てるための規則を定義する、該ユーザ入力インターフェイスからのユーザ入力を受信する手段であって、該入力は、装置の識別と、該識別された装置が該メディアコンテンツの送信先装置として割り当てられるために、該メディアコンテンツによって満たされなければならない少なくとも１つの条件とを含み、該少なくとも１つの条件は、該メディアコンテンツと関連しなければならない少なくとも１つの属性を備えている、手段と、
該規則が適用されるべきメディアコンテンツを識別する該ユーザ入力インターフェイスからのユーザ入力を受信する手段と、
該規則の該少なくとも１つの条件を、該識別されたメディアコンテンツの属性と比較することによって、該規則が該識別されたメディアコンテンツによって満たされるか否かを決定する手段と、
該規則が満たされることを決定することに応じて、該識別されたメディアコンテンツの該送信先として、該規則の該識別された装置を自動的に割り当てる手段と
を備えている、システム。
【請求項１０】
前記処理回路はさらに、録画のためのメディアコンテンツを識別する、前記ユーザ入力インターフェイスからのユーザ入力を受信する手段を備えている、請求項９に記載のシステム。
【請求項１１】
前記処理回路はさらに、前記識別されたメディアコンテンツを録画するために、前記規則の前記識別された装置を自動的に割り当てる手段を備えている、請求項１０に記載のシステム。
【請求項１２】
前記処理回路はさらに、ダウンロードのためのメディアコンテンツを識別する、前記ユーザ入力インターフェイスからのユーザ入力を受信する手段を備えている、請求項９に記載のシステム。
【請求項１３】
前記少なくとも１つの条件は、ユーザ選好プロファイルの要素を備える、請求項９に記載のシステム。
【請求項１４】
前記少なくとも１つの条件は、メディアコンテンツのペアレンタル評価を備える、請求項９に記載のシステム。
【請求項１５】
前記少なくとも１つの条件は、前記メディアコンテンツの定義を備える、請求項９に記載のシステム。
【手続補正２】
【補正対象書類名】明細書
【補正対象項目名】００１０
【補正方法】変更
【補正の内容】
【００１０】
ユーザは、規則が任意の好適な方式で、該当するメディアコンテンツを選択してもよい。例えば、ユーザが録画のための番組を選択する時に、ユーザは、規則を使用して送信先装置を識別するようにメディアガイダンスアプリケーションに指示してもよい。別の例として、メディアガイダンスアプリケーションは、メディアコンテンツの送信先を識別するための既定の機構として、規則を使用してもよい。一部の実施形態においては、ユーザは、メディアガイダンスアプリケーションに、規則を特定のユーザ機器装置（例えば、ユーザの主要テレビ以外の任意の装置）で選択されたコンテンツのみに適用するように指示してもよい。
例えば、本発明は以下の項目を提供する。
（項目１）
メディアコンテンツの送信先として、ユーザのメディアネットワーク内の複数の装置の中の装置をユーザが割り当てることを可能にするための方法であって、該方法は、
メディアコンテンツの送信先として、該ユーザのメディアネットワーク内の該複数の装置のうちの１つを割り当てるための規則を定義するユーザ入力を受信することであって、該入力は、装置の識別と、該識別された装置が該メディアコンテンツの送信先装置として割り当てられる該メディアコンテンツによって満たされなければならない少なくとも１つの条件とを含み、該少なくとも１つの条件は、該メディアコンテンツと関連しなければならない少なくとも１つの属性を備える、ことと、
該規則が適用されるべきメディアコンテンツを識別するユーザ入力を受信することと、
該規則の該少なくとも１つの条件を、該識別されたメディアコンテンツの属性と比較することによって、該規則が該識別されたメディアコンテンツによって満たされるか否かを判定することと、
該規則が満たされることを判定することに応じて、該識別されたメディアコンテンツの該送信先として、該規則の該識別された装置を自動的に割り当てることと
を含む、方法。
（項目２）
上記規則が適用されるべきメディアコンテンツを識別するユーザ入力を受信することは、録画のためのメディアコンテンツを識別するユーザ入力を受信することを含む、項目１に記載の方法。
（項目３）
メディアコンテンツの送信先として、ユーザのメディアネットワーク内の複数の装置のうちの１つを割り当てるための規則を定義するユーザ入力を受信することは、ユーザのメディアネットワーク内の複数の録画装置のうちの１つに録画要求を割り当てるための規則を定義するユーザ入力を受信することを含む、項目２に記載の方法。
（項目４）
上記識別されたメディアコンテンツの上記送信先として、上記規則の上記識別された装置を自動的に割り当てることは、該識別されたメディアコンテンツを録画するために、該規則の該識別された装置を自動的に割り当てることを含む、項目２に記載の方法。
（項目５）
上記規則が適用されるべきメディアコンテンツを識別するユーザ入力を受信することは、ダウンロードのためにメディアコンテンツを識別するユーザ入力を受信することを含む、項目１に記載の方法。
（項目６）
上記規則が適用されるべきメディアコンテンツを識別するユーザ入力を受信することは、ストリーミングのためのメディアコンテンツを識別するユーザ入力を受信することを含む、項目１に記載の方法。
（項目７）
上記規則が適用されるべきメディアコンテンツを識別するユーザ入力を受信することは、上記識別された装置に転送するための記憶されたメディアコンテンツを識別するユーザ入力を受信することを含む、項目１に記載の方法。
（項目８）
上記複数の装置は、上記メディアコンテンツの送信先として等しく適している、項目１に記載の方法。
（項目９）
上記規則が適用されるべきメディアコンテンツを識別するユーザ入力を受信することは、第１の装置からユーザ入力を受信することを含む、項目１に記載の方法。
（項目１０）
上記規則が適用されるべきメディアコンテンツを識別するユーザ入力を受信することは、インターネット通信リンク上で、該規則が適用されるメディアコンテンツを識別するユーザ入力を受信することを含む、項目９に記載の方法。
（項目１１）
上記規則の上記識別された装置を自動的に割り当てることは、第２の装置を自動的に割り当てることを含む、項目１に記載の方法。
（項目１２）
上記少なくとも１つの条件は、ユーザ選好プロファイルの要素を備える、項目１に記載の方法。
（項目１３）
上記少なくとも１つの条件は、メディアコンテンツのペアレンタル評価を備える、項目１に記載の方法。
（項目１４）
上記少なくとも１つの条件は、上記メディアコンテンツの定義を備える、項目１に記載の方法。
（項目１５）
上記規則は、上記ユーザのメディアネットワーク内の上記複数の装置のそれぞれに記憶される、項目１に記載の方法。
（項目１６）
上記規則は、上記ユーザのメディアネットワーク内の少なくとも１つの装置と通信している中央の場所に記憶される、項目１に記載の方法。
（項目１７）
規則を定義するユーザ入力を受信することは、
該ユーザから認可情報を受信することと、
該認可情報を検証することと、
該認可情報を検証することに応じて、該規則を定義する該ユーザ入力を使用して該規則を定義することと
をさらに含む、項目１に記載の方法。
（項目１８）
ユーザログイン情報を受信することと、
該ユーザログイン情報から上記ユーザのメディアネットワークを識別することと
をさらに含む、項目１に記載の方法。
（項目１９）
上記ログイン情報と関連する上記ユーザによって定義される、録画要求を割り当てるための規則を識別することをさらに含む、項目１８に記載の方法。
（項目２０）
上記メディアコンテンツは、テレビ番組、オンデマンド番組、および音楽番組のうちの１つである、項目１に記載の方法。
（項目２１）
上記ユーザのメディアネットワーク内の上記複数の装置は、ＤＶＲ、ＶＣＲ、コンピュータ、パーソナルメディア装置、携帯電話、およびＤＶＤレコーダのうちの少なくとも１つを備える、項目１に記載の方法。
（項目２２）
メディアコンテンツの送信先として、ユーザのメディアネットワーク内の複数の装置の中の装置をユーザが割り当てることを可能にするためのシステムであって、該システムは、複数の装置と、ユーザ入力インターフェイスと、制御回路とを備え、該制御回路は、
メディアコンテンツの送信先として、該ユーザのメディアネットワーク内の該複数の装置のうちの１つを割り当てるための規則を定義する、該ユーザ入力インターフェイスからのユーザ入力を受信するように構成され、該入力は、装置の識別と、該識別された装置が該メディアコンテンツの送信先装置として割り当てられるために、該メディアコンテンツによって満たされなければならない少なくとも１つの条件とを含み、該少なくとも１つの条件は、該メディアコンテンツと関連しなければならない少なくとも１つの属性を備え、
該規則が適用されるべきメディアコンテンツを識別する該ユーザ入力インターフェイスからのユーザ入力を受信し、
該規則の該少なくとも１つの条件を、該識別されたメディアコンテンツの属性と比較することによって、該規則が該識別されたメディアコンテンツによって満たされるか否かを判定し、
該規則が満たされることを判定することに応じて、該識別されたメディアコンテンツの該送信先として、該規則の該識別された装置を自動的に割り当てる
ように構成される、システム。
（項目２３）
上記処理回路はさらに、録画のためのメディアコンテンツを識別する、上記ユーザ入力インターフェイスからのユーザ入力を受信するように構成される、項目２２に記載のシステム。
（項目２４）
上記処理回路はさらに、ユーザのメディアネットワーク内の複数の録画装置のうちの１つに録画要求を割り当てるための規則を定義する、上記ユーザ入力インターフェイスからのユーザ入力を受信するように構成される、項目２３に記載のシステム。
（項目２５）
上記処理回路はさらに、上記識別されたメディアコンテンツを録画するために、上記規則の上記識別された装置を自動的に割り当てるように構成される、項目２３に記載のシステム。
（項目２６）
上記処理回路はさらに、ダウンロードのためのメディアコンテンツを識別する、上記ユーザ入力インターフェイスからのユーザ入力を受信するように構成される、項目２２に記載のシステム。
（項目２７）
上記処理回路はさらに、ストリーミングのためのメディアコンテンツを識別する、上記ユーザ入力インターフェイスからのユーザ入力を受信するように構成される、項目２２に記載のシステム。
（項目２８）
上記処理回路はさらに、上記識別された装置に転送するための記憶されたメディアコンテンツを識別する、上記ユーザ入力インターフェイスからのユーザ入力を受信するように構成される、項目２２に記載のシステム。
（項目２９）
上記複数の装置は、上記メディアコンテンツの送信先として等しく適している、項目２２に記載のシステム。
（項目３０）
上記処理回路はさらに、第１の装置からユーザ入力を受信するように構成される、項目２２に記載のシステム。
（項目３１）
上記処理回路はさらに、インターネット通信リンク上で、上記規則が適用されるべきメディアコンテンツを識別する、上記ユーザ入力インターフェイスからのユーザ入力を受信するように構成される、項目３０に記載のシステム。
（項目３２）
上記処理回路はさらに、第２の装置からユーザ入力を受信するように構成される、項目２２に記載のシステム。
（項目３３）
上記少なくとも１つの条件は、ユーザ選好プロファイルの要素を備える、項目２２に記載のシステム。
（項目３４）
上記少なくとも１つの条件は、メディアコンテンツのペアレンタル評価を備える、項目２２に記載のシステム。
（項目３５）
上記少なくとも１つの条件は、上記メディアコンテンツの定義を備える、項目２２に記載のシステム。
（項目３６）
上記規則は、上記ユーザのメディアネットワーク内の上記複数の装置のそれぞれに記憶される、項目２２に記載のシステム。
（項目３７）
上記規則は、上記ユーザのメディアネットワーク内の少なくとも１つの装置と通信している中央の場所に記憶される、項目２２に記載のシステム。
（項目３８）
上記処理回路はさらに、
上記ユーザ入力インターフェイス上の上記ユーザ入力から認可情報を受信し、
該認可情報を検証し、
該認可情報の検証に応じて、上記規則を定義する上記ユーザ入力を使用して、該規則を定義するように構成される、項目２２に記載のシステム。
（項目３９）
上記処理回路はさらに、
上記ユーザ入力インターフェイスからユーザログイン情報を受信し、
該ユーザログイン情報から上記ユーザのメディアネットワークを識別する
ように構成される、項目２２に記載のシステム。
（項目４０）
上記処理回路はさらに、上記ログイン情報と関連する上記ユーザによって定義される、録画要求を割り当てるための規則を識別するように構成される、項目３９に記載のシステム。
（項目４１）
上記メディアコンテンツは、テレビ番組、オンデマンド番組、および音楽番組のうちの１つである、項目２２に記載のシステム。
（項目４２）
上記ユーザのメディアネットワーク内の上記複数の装置は、ＤＶＲ、ＶＣＲ、コンピュータ、パーソナルメディア装置、携帯電話、およびＤＶＤレコーダのうちの少なくとも１つを備える、項目２２に記載のシステム。